(57)【要約】      （修正有）【課題】特殊な治具を用いずに、部品を仮保持することができるナビゲーション装置の技術を提供する。【解決手段】一つ以上の電子基板７００が取り付けられる支持部材６００を備え、前記支持部材６００は、前記支持部材６００と前記電子基板７００とを組み付けるために、前記電子基板７００上に取り付けられた電子部品の高さ以上の高さに前記支持部材６００から突出するガイド爪部材６０１Ｘと、前記電子基板７００に平行な平面を有するガイド爪基部６０３Ｘと、を備え、前記電子基板７００は、前記ガイド爪部材６０１Ｘが挿入されるガイド孔７０１Ｘを備える。【選択図】図３
2012051415.tif 000002
【特許請求の範囲】
【請求項１】
一つ以上の電子基板が取り付けられる支持部材を備え、
前記支持部材は、
前記支持部材と前記電子基板とを組み付けるために、前記電子基板上に取り付けられた電子部品の高さ以上の高さに前記支持部材から突出するガイド爪部材と、前記電子基板に平行な平面を有するガイド爪基部と、を備え、
前記電子基板は、
前記ガイド爪部材が挿入されるガイド孔を備える、
ことを特徴とするナビゲーション装置。
【請求項２】
請求項１に記載のナビゲーション装置であって、
前記平行な平面には、第一のねじ孔が設けられており、
前記電子基板には、前記第一のねじ孔に対応する位置に第二のねじ孔が設けられており、
前記第一のねじ孔と、前記第二のねじ孔と、を貫通するねじにより前記支持部材と前記電子基板とがねじ止めされる、
ことを特徴とするナビゲーション装置。
【請求項３】
請求項１または２に記載のナビゲーション装置であって、
前記支持部材は、前記ガイド爪部材と、前記ガイド爪基部と、を複数組備え、
前記電子基板は、前記ガイド爪部材と、前記ガイド爪基部との組の数に応じた前記ガイド孔を備える、
ことを特徴とするナビゲーション装置。
【請求項４】
請求項３に記載のナビゲーション装置であって、
前記ガイド爪部材は、金属製の薄板であり、
前記ガイド爪部材の主面は、少なくとも他の一つの前記ガイド爪部材の成す主面と垂直を成す角度である、
ことを特徴とするナビゲーション装置。
【請求項５】
請求項１〜４のいずれか一項に記載のナビゲーション装置であって、
前記ガイド爪基部の先端には、テーパが設けられている、
ことを特徴とするナビゲーション装置。
【請求項６】
ナビゲーション装置の組立構造であって、
前記ナビゲーション装置は、
一つ以上の電子基板が取り付けられる支持部材を備え、
前記支持部材は、
前記支持部材と前記電子基板とを組み付けるために、前記電子基板上に取り付けられた電子部品の高さ以上の高さに前記支持部材から突出するガイド爪部材と、前記電子基板に平行な平面を有するガイド爪基部と、を備え、
前記電子基板は、
前記ガイド爪部材が挿入されるガイド孔を備え、
前記ガイド孔に、前記ガイド爪部材が挿入される、
ことを特徴とするナビゲーション装置の組立構造。
【請求項７】
請求項６に記載のナビゲーション装置の組立構造であって、
前記平行な平面には、第一のねじ孔が設けられており、
前記電子基板には、前記第一のねじ孔に対応する位置に第二のねじ孔が設けられており、
前記第一のねじ孔と、前記第二のねじ孔と、を貫通するねじにより前記支持部材と前記電子基板とがねじ止めされる、
ことを特徴とするナビゲーション装置の組立構造。
【請求項８】
請求項６または７に記載のナビゲーション装置の組立構造であって、
前記支持部材は、前記ガイド爪部材と、前記ガイド爪基部と、を複数組備え、
前記電子基板は、前記ガイド爪部材と、前記ガイド爪基部との組の数に応じた前記ガイド孔を備える、
ことを特徴とするナビゲーション装置の組立構造。
【請求項９】
請求項８に記載のナビゲーション装置の組立構造であって、
前記ガイド爪部材は、金属製の薄板であり、
前記ガイド爪部材の主面は、少なくとも他の一つの前記ガイド爪部材の成す主面と垂直を成す角度である、
ことを特徴とするナビゲーション装置の組立構造。
【請求項１０】
請求項６〜９のいずれか一項に記載のナビゲーション装置の組立構造であって、
前記ガイド爪基部の先端には、テーパが設けられている、
ことを特徴とするナビゲーション装置の組立構造。
【発明の詳細な説明】
【技術分野】
【０００１】
本発明は、ナビゲーション装置の技術に関するものである。
【背景技術】
【０００２】
従来、ナビゲーション装置は、電子部品や機械部品を、骨格を形成する筐体にねじ等により固定して組みつけて構成される。特許文献１には、このようなナビゲーション装置についての技術が記載されている。
【先行技術文献】
【特許文献】
【０００３】
【特許文献１】特開平０９−０７９４８１号公報
【発明の概要】
【発明が解決しようとする課題】
【０００４】
しかし、上記のようなナビゲーション装置では、製造の際に、部品ごとに特殊な治具を用いて組み付ける必要がある場合が多く、なるべく部品をユニット化して、組立工程を合理的なものとするのが望ましい。特に、電子基板を支持部材に取り付ける接合部を有するユニットについては、厳密な位置の決定と、高い取り付け精度が要求されることが多いために、製造工程が煩雑なものとなる。
【０００５】
本発明の目的は、電子基板を支持部材に取り付ける接合部を有する部品を容易に組み立てることができるナビゲーション装置の技術を提供することにある。
【課題を解決するための手段】
【０００６】
上記課題を解決すべく、本発明に係るナビゲーション装置は、一つ以上の電子基板が取り付けられる支持部材を備え、前記支持部材は、前記支持部材と前記電子基板とを組み付けるために、前記電子基板上に取り付けられた電子部品の高さ以上の高さに前記支持部材から突出するガイド爪部材と、前記電子基板に平行な平面を有するガイド爪基部と、を備え、前記電子基板は、前記ガイド爪部材が挿入されるガイド孔を備える、ことを特徴とする。
【０００７】
また、本発明に係るナビゲーション装置の組立構造では、前記ナビゲーション装置は、一つ以上の電子基板が取り付けられる支持部材を備え、前記支持部材は、前記支持部材と前記電子基板とを組み付けるために、前記電子基板上に取り付けられた電子部品の高さ以上の高さに前記支持部材から突出するガイド爪部材と、前記電子基板に平行な平面を有するガイド爪基部と、を備え、前記電子基板は、前記ガイド爪部材が挿入されるガイド孔を備え、前記ガイド孔に、前記ガイド爪部材が挿入される、ことを特徴とする。
【発明の効果】
【０００８】
本願発明によれば、電子基板を支持部材に取り付ける接合部を有する部品を容易に組み立てることができるナビゲーション装置の技術を提供することが可能となる。
【図面の簡単な説明】
【０００９】
【図１】図１は、ナビゲーション装置の組立工程を示す図である。
【図２】図２は、ナビゲーション装置の組立工程を示す図である。
【図３】図３は、基板ユニットの支持部材を組み付ける構成を示す斜視図である。
【図４】図４は、基板ユニットの支持部材を組み付ける前の状態を示す図である。
【図５】図５は、基板ユニットの支持部材を組み付けた状態を示す図である。
【図６】図６は、基板ユニットの支持部材のガイド爪の拡大図である。
【発明を実施するための形態】
【００１０】
以下に、本発明の第一の実施形態を適用したナビゲーション装置について、図面を参照して説明する。
【００１１】
図１、図２に、ナビゲーション装置１の組立工程の概要の図を示す。なお、ナビゲーション装置１は、地図情報を表示して、ナビゲーション装置１の現在地を示す地点と、設定された目的地までの経路を誘導する情報と、を示すことが可能ないわゆるナビゲーション装置である。なお、以降の記載において、ナビゲーション装置１の通常の使用状態を基準として、底面方向をＺ方向、裏面方向をＹ方向、左面方向をＸ方向とする３軸方向で図上の方向を表す。
【００１２】
ナビゲーション装置１は、コの字型をした筐体の骨格となる金属筐体１００と、金属筐体１００の天面（図１（ａ）、（ｂ）および図２（ａ）においては、図の下方向の面）に取り付けられる第一の内部ユニット２００と、金属筐体１００の両側面（図１（ｂ）における図の右下方向の面および左上方向の面）に取り付けられる第二の内部ユニット３００と、金属筐体１００の底面（図２（ａ）においては、図の上方向の面）を構成する底面ユニット４００と、を備えている。
【００１３】
また、図２（ｂ）に示すように、ナビゲーション装置１は、金属筐体１００の天面、両側面の外側から、上記第一の内部ユニット２００、第二の内部ユニット３００、底面ユニット４００がねじ止めされる。なお、本実施形態においては、金属筐体１００の側面の片方の面（図２（ｂ）の図右下側の面）には開口がある。
【００１４】
なお、本実施形態においては、第一の内部ユニット２００は、ＣＤ（Compact Disk）やＤＶＤ（Digital Versatile Disk）等の光磁気ディスクや、各種メモリーカード等の記憶媒体の入出力インターフェースを備えるユニットである。また、第二の内部ユニット３００は、オーディオヴィジュアル機能を実現する処理系を備える電子基板であるオーディオ基板と、ナビゲーション機能を実現する処理系を備える電子基板であるナビ基板と、を含む各種基板が組み付けられた演算処理部ユニットである。また、底面ユニット４００は、金属筐体１００の底面を構成する板金を含み、金属筐体１００の前面（図１（ａ）における左下方向の面）に取り付けられる図示しないディスプレイ部材をチルト動作させるためのアーム部材や、当該アーム部材をスライド移動させるための動力となるモーターやギヤ等を備えるユニットである。
【００１５】
図１（ａ）に示すように、まず、第一の内部ユニット２００は、金属筐体１００の天面（図１（ａ）の下方向の面）に接点を持つように取り付けられて仮保持される。すなわち、第一の内部ユニット２００は、ナビゲーション装置１００の通常状態においては、金属筐体１００の天面から吊り下げられるように仮保持されるといえる。そして、図１（ｂ）に示すように、第一の内部ユニット２００の上（図１（ｂ）の上方向）から、第二の内部ユニットが、積み重ねられるように位置決めされ、金属筐体１００の両側面（図１（ｂ）の図の右下方向の面と、左上方向の面）に接点を持つように取り付けられて仮保持される。そして、さらに、第二の内部ユニット３００の上（図２（ａ）の上方向）から、底面ユニット４００が、積み重ねられるように位置決めされ、金属筐体１００の両側面（図２（ａ）の図の右下方向の面と、左上方向の面）に接点を持つように取り付けられて仮保持される。
【００１６】
図２（ｂ）に示すように、金属筐体１００に第一の内部ユニット２００と、第二の内部ユニット３００と、底面ユニット４００と、が取り付けられて仮保持された状態において、各ユニットは金属筐体１００の外部からねじ止めされ、固定される。なお、金属筐体１００の天面（図２（ｂ）における図の上方向の面）にねじ込まれる天面側ねじ群１１０Ｔは、金属筐体１００の天面に設けられた孔を貫通して、天面の内側に仮保持された第一の内部ユニット２００の所定のねじ孔にはまりこむ。これにより、第一の内部ユニット２００は、金属筐体１００へ固定され組み付けがなされる。また、金属筐体１００の右側面（図２（ｂ）における図の右下方向の面）にねじ込まれる右側面側ねじ群１１０Ｒは、金属筐体１００の右側面に設けられた孔を貫通して、右側面の内側に仮保持された第二の内部ユニット３００および底面ユニット４００の所定のねじ孔にはまりこむ。同様に、左側面（図２（ｂ）における図の左上方向の面）にねじ込まれる左側面側ねじ群１１０Ｌは、筐体１００の左側面に設けられた孔を貫通して、左側面の内側に仮保持された第二の内部ユニット３００および底面ユニット４００の所定のねじ孔にはまりこむ。これにより、第二の内部ユニット３００および底面ユニット４００は、金属筐体１００へ固定され組みつけがなされる。
【００１７】
図３は、第二の内部ユニット３００の支持部材に電子基板を組み付ける構成を示す斜視図である。第二の内部ユニット３００においては、支持部材であるブラケット６００に電子基板が取り付けられたサブユニット３２０が用いられる。図３は、サブユニット３２０の組み立ての構成を示している。ブラケット６００には、例えば、ナビゲーション機能を実現する処理系を備える電子基板であるナビ基板７００が主として組みつけられる。本実施形態においては、ブラケット６００には、ナビ基板７００をブラケット６００に取り付ける接合部の組立を補助するガイド機構を有する。以下の説明においては、これらナビ基板７００とブラケット６００以外のサブユニット３２０の構成部材については、説明の便宜上、省略して説明する。実際には、ブラケット６００にはナビ基板７００以外の他の電子基板等（例えば、通信ネットワーク用基板等）が組みつけられる。
【００１８】
ブラケット６００と、ナビ基板７００とは、図３に示すように、ブラケット６００の所定の位置に設けられた接合部を介して、互いに取り付けられる。接合部は、Ｘ方向の移動を制限するＸ接合部と、Ｙ方向の移動を制限するＹ接合部と、水平回転方向の移動を制限するＲ接合部と、少なくとも３箇所のガイド爪により構成される。具体的には、Ｘ接合部は、金属薄板であるＸガイド爪６０１Ｘを含んでいる。Ｙ接合部は、金属薄板であるＹガイド爪６０１Ｙを含んでいる。Ｒ接合部は、金属薄板であるＲガイド爪６０１Ｒを含んでいる。
【００１９】
Ｘガイド爪６０１Ｘは、ナビ基板７００に対して垂直に設けられた爪部材であり、ナビ基板７００に対して水平な面を備えるＸガイド爪基部６０３Ｘから突出している。また、Ｘガイド爪基部６０３Ｘには、ブラケット側Ｘ位置固定用ねじ孔６０２Ｘが設けられている。ブラケット６００に取り付けられるナビ基板７００には、Ｘガイド爪６０１Ｘに対応する位置にＸガイド孔７０１Ｘと、その周辺にＸ位置固定用ねじ孔７０２Ｘとを備える。Ｘガイド爪６０１Ｘは、Ｘガイド孔７０１Ｘに差し込まれてＸ位置を仮固定される。その後、Ｘ位置固定用ねじ孔７０２Ｘと、ブラケット側Ｘ位置固定用ねじ孔６０２Ｘとに貫通するようねじで固定されて、ブラケット６００とナビ基板７００のＸ方向の位置が固定される。なお、Ｘガイド爪６０１Ｘは、Ｘ方向に平行する扁平な形状をしている。また、Ｘガイド爪６０１Ｘは、ナビ基板７００に取り付けられたいずれの電子機器の高さ以上の高さを備える。
【００２０】
Ｙガイド爪６０１Ｙは、ナビ基板７００に対して垂直に設けられた爪部材であり、ナビ基板７００に対して水平な面を備えるＹガイド爪基部６０３Ｙから突出している。また、Ｙガイド爪基部６０３Ｙには、ブラケット側Ｙ位置固定用ねじ孔６０２Ｙが設けられている。ブラケット６００に取り付けられるナビ基板７００には、Ｙガイド爪６０１Ｙに対応する位置にＹガイド孔７０１Ｙと、その周辺にＹ位置固定用ねじ孔７０２Ｙとを備える。Ｙガイド爪６０１Ｙは、Ｙガイド孔７０１Ｙに差し込まれてＹ位置を仮固定される。その後、Ｙ位置固定用ねじ孔７０２Ｙと、ブラケット側Ｙ位置固定用ねじ孔６０２Ｙとに貫通するようねじで固定されて、ブラケット６００とナビ基板７００のＹ方向の位置が固定される。なお、Ｙガイド爪６０１Ｙは、Ｙ方向に平行する扁平な形状をしている。また、Ｙガイド爪６０１Ｙは、ナビ基板７００に取り付けられたいずれの電子機器の高さ以上の高さを備える。
【００２１】
Ｒガイド爪６０１Ｒは、ナビ基板７００に対して垂直に設けられた爪部材であり、ナビ基板７００に対して水平な面を備えるＲガイド爪基部６０３Ｒから突出している。また、Ｒガイド爪基部６０３Ｒには、ブラケット側Ｒ位置固定用ねじ孔６０２Ｒが設けられている。ブラケット６００に取り付けられるナビ基板７００には、Ｒガイド爪６０１Ｒに対応する位置にＲガイド孔７０１Ｒと、その周辺にＲ位置固定用ねじ孔７０２Ｒとを備える。Ｒガイド爪６０１Ｒは、Ｒガイド孔７０１Ｒに差し込まれてＲ位置を仮固定される。その後、Ｒ位置固定用ねじ孔７０２Ｒと、ブラケット側Ｒ位置固定用ねじ孔６０２Ｒとに貫通するようねじで固定されて、ブラケット６００とナビ基板７００の水平回転方向の位置が固定される。なお、Ｒガイド爪６０１Ｒは、Ｙ方向に平行する扁平な形状をしている。また、Ｒガイド爪６０１Ｒは、ナビ基板７００に取り付けられたいずれの電子機器の高さ以上の高さを備える。
【００２２】
図４（ａ）は、組み付け前のナビ基板７００と、ブラケット６００とをＺ方向に見た図である。図４（ｂ）は、図４（ａ）のＡ−Ａ断面を示す図である。ナビ基板７００には、ブラケット６００に取り付けられる側の面に高さ７０４だけ突出する電子部品であるコネクタ７０３が設けられている。また、ブラケット６００のＲガイド爪６０１Ｒ、Ｙガイド爪６０１Ｙ、Ｚガイド爪６０１Ｚの爪高さ６０４は、コネクタ７０３の高さであるコネクタ高さ７０４以上である（好ましくは、爪高さ６０４は、コネクタ高さ７０４よりも、１ｍｍ〜３ｍｍ程度高い）。そのため、Ｒガイド爪６０１Ｒ、Ｙガイド爪６０１Ｙ、Ｘガイド爪６０１Ｘのいずれかまたは全てが、Ｒガイド孔７０１Ｒ、Ｙガイド孔７０１Ｙ、Ｘガイド孔７０１Ｘのそれぞれにはまり込まない位置では、ナビ基板７００とブラケット６００とが組みつけられる場合にも、コネクタ７０３がブラケット６００に接触することはない。よって、組立てにおいて、コネクタ７０３の端子が損傷するのを防止できる。
【００２３】
図５（ａ）は、ブラケット６００にナビ基板７００を取り付けた状態で、Ｚ方向に見た図である。図５（ｂ）は、図５（ａ）のＡ−Ａ断面を示す図である。Ｒガイド爪６０１Ｒは、ナビ基板７００のＲガイド孔７０１Ｒを貫通し、ナビ基板７００は、Ｒガイド爪基部６０３Ｒの水平面に突き当たって固定されている。なお、ナビ基板７００に取り付けられた電子部品であるコネクタ７０３は、ブラケット６００の所定の空隙を貫通してブラケット６００のＺ方向の面に突出している。
【００２４】
図６（ａ）は、Ｘガイド爪６０１ＸおよびＸガイド爪基部６０３Ｘの拡大図である。基部６０３Ｘは、ブラケット６００の底面に平行かつ接地しないよう、折り曲げ等により形成されている。また、Ｘガイド爪６０１Ｘのナビ基板７００取り付け側の先端６０５Ｘには、テーパが設けられている。先端６０５Ｘのテーパは、Ｘガイド孔７０１Ｘへの差込がスムーズに行われるようガイドの役割を果たす。なお、Ｘガイド孔７０１Ｘの幅と、Ｘガイド爪６０１Ｘの幅（最長部）とは、ほぼ同じ幅を備える。そのため、Ｘガイド爪６０１Ｘがナビ基板７００のＸガイド孔７０１Ｘにはめ込まれると、ガタツキはほぼ無いものとすることができる。
【００２５】
なお、図６（ａ）は、Ｘ接合部のＸガイド爪６０１Ｘの位置や形状について説明しているが、Ｙ接合部のＹガイド爪６０１Ｙ、Ｒ接合部のＲガイド爪６０１Ｒの位置や形状についても、同様のことがいえる。
【００２６】
以上が、本願発明にかかる第一の実施形態である。上記実施形態によれば、ナビゲーション装置１は、特殊な治具を用いずに、部品を仮保持することができる。そのため、ナビゲーション装置の組立精度を高めつつ、組立にかかる作業量を減らすことができる。また、組立にミスがあった場合にも、ミスを修正して再度組み立てることが容易にできる。ねじ止めを最後に行うものであるから、それまでの仮保持の状態においては、ねじを取り外ししなくとも各内部ユニットの再組み付けが可能となるからである。
【００２７】
上記実施形態によれば、ブラケット６００と、ナビ基板７００とは、ガイドを有する接合部により、高い精度で位置決めされて組み付けられる。したがって、電子基板を支持部材に取り付ける接合部を有する部品を容易に組み立てることができる。
【００２８】
本発明は、上記の実施形態に制限されない。上記実施形態は、本発明の技術的思想の範囲内で様々な変形が可能である。例えば、上記実施形態においては、筐体１００はコの字型をしており、天面、左右側面を備えるものであるが、これに限られず、例えば左右の側面と底面を備えるものであってもよいし、天面のみまたは底面のみを備えるものであってもよい。このようにすることで、様々な形状の骨格を備えるナビゲーション装置についても、仮保持を行ってねじ止め工程を下流工程に集約することができるようになる。
【００２９】
また、例えば、上記実施形態においては、図６（ａ）に示すように、Ｘガイド爪６０１Ｘの形状を説明した。しかし、これに限らず、Ｘガイド爪６０１Ｘについて、図６（ｂ）に示すような形状としてもよい。図６（ｂ）に示すように、Ｘガイド爪６０１Ｘは、先端６０５Ｘに近づくほどにその幅が狭くなるものであってもよい。なお、図６（ｂ）では、Ｘガイド爪６０１Ｘは、中間段差６０１Ｘを経て先端６０５Ｘに向かって幅が狭くなっているが、これに限らず、徐々に幅が狭くなるようにしてもよい。Ｙガイド爪６０１ＹおよびＲガイド爪６０１Ｒについても、同様である。Ｘガイド爪６０１Ｘと、Ｙガイド爪６０１ＹおよびＲガイド爪６０１Ｒの爪の形状は、これらが組み合わされたものであっても良い。
【００３０】
また、例えば、上記実施形態においては、Ｘ接合部、Ｙ接合部、Ｒ接合部は、ブラケットの四隅のうちの３箇所に設けられている。しかし、これに限られず、ブラケットの左右端の二箇所のみに設けられるようにしてもよい。その場合には、Ｘ方向の移動を制限する接合部と、Ｙ方向の移動を制限する接合部であることが望ましい。このようにすると、仮保持の効果は若干弱くなるが、ナビ基板７００がねじ止めによりブラケット６００に組みつけられる程度の強度が確保できれば問題なく、接合部のための物理配置や制約を解消することができるためである。
【００３１】
以上、本発明について、実施形態を中心に説明した。なお、上記の実施形態では、本発明をナビゲーション装置に適用した例について説明したが、本発明はナビゲーション装置に限らず、組立構造を備える装置全般に適用することができる。
【符号の説明】
【００３２】
１・・・ナビゲーション装置、１００・・・筐体、１１０Ｒ・・・右側ねじ群、１１０Ｌ・・・左側ねじ群、１１０Ｔ・・・天面側ねじ群、２００・・・第一の内部ユニット、３００・・・第二の内部ユニット、３２０・・・サブユニット、４００・・・底面ユニット、６００・・・ブラケット、６０１Ｘ・・・Ｘガイド爪、６０１Ｙ・・・Ｙガイド爪、６０１Ｒ・・・Ｒガイド爪、６０２Ｘ・・・ブラケット側Ｘ位置固定用ねじ孔、６０２Ｙ・・・ブラケット側Ｙ位置固定用ねじ孔、６０２Ｒ・・・ブラケット側Ｒ位置固定用ねじ孔、６０３Ｘ・・・Ｘガイド爪基部、６０３Ｙ・・・Ｙガイド爪基部、６０３Ｒ・・・Ｒガイド爪基部、６０４・・・爪高さ、６０５Ｘ・・・先端、６１０Ｘ・・・中間段差、７０１Ｘ・・・Ｘガイド孔、７０１Ｙ・・・Ｙガイド孔、７０１Ｒ・・・Ｒガイド孔、７０２Ｘ・・・Ｘ位置固定用ねじ孔、７０２Ｙ・・・Ｙ位置固定用ねじ孔、７０２Ｒ・・・Ｒ位置固定用ねじ孔、７０３・・・コネクタ、７０４・・・コネクタ高さ
【図１】
2012051415.tif 000003
【図２】
2012051415.tif 000004
【図３】
2012051415.tif 000005
【図４】
2012051415.tif 000006
【図５】
2012051415.tif 000007
【図６】
2012051415.tif 000008